(57)【要約】      （修正有）【課題】単純な仕組みでコストを削減しつつ、ヘアスタイルを立体的に表示し、ヘアカット技術を教示できる頭髪模型支持具及びヘアカット技術教示用装置を提供する。【解決手段】頭髪模型としてストロー３を準備する。頭髪模型支持具２は、ストロー３の端部に挿着する突起部と、突起部を頭部模型４に支持する台座部を備え、台座部の底面部を頭部模型４に着脱自在に固定できるように形成する。固定する方法としては、底面部にピン状部材を設けても良いし、マグネットを設けても良い。ストロー３を挿着した頭髪模型支持具２を頭部模型４に支持することにより、ヘアスタイルやヘアカット技術を三次元的に表現することが可能となる。【選択図】図１
2020034587.tif 000002
【特許請求の範囲】
【請求項１】
ヘアカット練習用の頭部模型にストロー状の頭髪模型を支持する頭髪模型支持具であって、
前記頭髪模型の端部に挿着する突起部と、前記突起部を前記頭部模型に支持する台座部と、を備え、
前記台座部は、前記頭髪模型に着脱自在に固定される底面部を含むことを特徴とする頭髪模型支持具。
【請求項２】
前記突起部の基端に球状の端部を設け、前記台座部に前記球状端部を回動可能に支持する略凹半球形状の支持部を設けた請求項１に記載の頭髪模型支持具。
【請求項３】
前記支持部の開口周縁部に前記突起部の側面を受け止める切欠部を形成した請求項２に記載の頭髪模型支持具。
【請求項４】
前記底面部に、前記頭部模型に抜き差し可能なピン状部材を設けた請求項１〜３の何れか一項に記載の頭髪模型支持具。
【請求項５】
請求項１〜４の何れか一項に記載の頭髪模型支持具と、前記頭髪模型と、を備えたヘアカット技術教示用装置。
【請求項６】
請求項５に記載のヘアカット技術教示用装置が前記頭部模型を含み、
前記頭部模型の表面が磁着性を備え、前記台座部にマグネットを含むヘアカット技術教示用装置。
【発明の詳細な説明】
【技術分野】
【０００１】
本発明は、主に、美容師や理容師にヘアカット技術を教示するために使用できる頭髪模型支持具及びヘアカット技術教示用装置に関する。
【背景技術】
【０００２】
今日、美容理容技術の高度化や急速な人材の入れ替わりに伴い、美容理容業界では迅速な人材育成が重要課題となってきている。特に、ヘアカット技術は一朝一夕で習得できるものではなく、顧客が満足するレベルの技能を習得するには、資格取得のための訓練に加えて実践的な訓練が不可欠となる。そのため、各美容室・理容室では、美容理容技術の教授に日夜取り組むとともに、新たな教示技術の研究開発が進められている。
【０００３】
ところで、美容理容業界では、ヘアカット技術やヘアスタイルを教示するため、従来より、いわゆる展開図を用いた方法が採用されている。展開図とは、図７に示すように、頭部表面を所定のブロックに分割し、ブロック毎にヘアカット後の頭髪の長さ、カットする位置やハサミを入れる角度等を記載したものである。展開図では、略頭頂を通る鉛直軸周りの所定角度毎に作成し、複数枚の展開図を用いて三次元のヘアスタイルを表現する。
【０００４】
しかし、展開図からヘアスタイルを把握するには、複数枚の展開図を頭の中で組み合わせなければならないため、特に、展開図に不慣れな新人の負担となり、迅速な技術の習得の妨げとなっていた。この問題を解消するため、特許文献１，２には、展開図の代替案として、頭部模型の表面に平板状の毛束模型を配置し、ヘアカット方法を立体的に表示できる技術が紹介されている。
【先行技術文献】
【特許文献】
【０００５】
【特許文献１】特開昭５７−０４７９０７公報
【特許文献２】米国特許第４３７０１３７号明細書
【発明の開示】
【発明が解決しようとする課題】
【０００６】
ところが、特許文献１の技術によると、専用の頭部模型や毛束模型を用意する必要があり、コストがかかるという問題があった。また、毛束模型の毛根部の表面を羽毛状に形成し、頭部模型に有刺面を形成し、有棘面に羽毛状の毛根部を絡ませて固定しているため、毛束模型を剥がす際に羽毛が剥がれて有棘面に残留し、着脱を繰り返すうちに毛束模型が頭部模型に配置できなくなるという問題もあった。
【０００７】
そこで、本発明の目的は、安価に三次元的なヘアスタイルの表示やヘアカット技術の教示ができ、また、繰り返し使用しても劣化し難い頭髪模型支持具及びヘアカット技術教示装置を提供することにある。
【課題を解決するための手段】
【０００８】
上記課題を解決するために、本発明の頭髪模型支持具は、ヘアカット練習用の頭部模型にストロー状の頭髪模型を支持する頭髪模型支持具であって、頭髪模型の端部に挿着する突起部と、突起部を頭部模型に支持する台座部と、を備え、台座部は、頭髪模型に着脱自在に固定される底面部を含むことを特徴とする。このとき、台座部に、頭部模型に抜き差し可能なピン状部材を備える。
【０００９】
また、本発明のヘアカット技術教示用装置は、頭髪模型支持具と頭髪模型を備える。さらに、本発明のヘアカット技術教示用装置に頭部模型を含み、頭部模型の表面が磁着性を備える場合に、ピン状部材に替えて台座部にマグネットを含むことも好適である。
【発明の効果】
【００１０】
本発明の頭髪模型支持具及びヘアカット教示用装置によれば、ストロー状の頭髪模型を挿着する突起部と、突起部を頭髪模型に支持する台座部を備えたため、頭髪模型をヘアカット技術練習用のカットウィッグ等に支持し、立体的にヘアスタイルを表示したり、ヘアカット技術を教示することができるという優れた効果がある。また、安価なストローを頭髪模型として用いることもできるため、コストを抑えることができるという効果もある。さらに、台座部にピンやマグネットを設けた場合には、繰り返し着脱しても劣化し難いという効果も有する。
【図面の簡単な説明】
【００１１】
【図１】本発明の一実施形態を示す頭髪模型支持具及びヘアカット教示用装置の斜視図である。
【図２】図１の頭髪模型支持具の（ａ）正面図、（ｂ）平面図、（ｃ）底面図、（ｄ）斜視図である。
【図３】ピン状部材の代わりにマグネットを使用した場合の（ａ）正面図、（ｂ）平面図、（ｃ）底面図（ｄ）斜視図（ｅ）Ａ−Ａ断面図である。図２の頭髪模型支持具のＡ−Ａ断面図である。
【図４】頭髪模型支持具の変更例を示す模式図である。
【図５】頭髪模型支持具及びヘアカット教示用装置の変更例を示す斜視図である。
【図６】頭髪模型支持具及びヘアカット教示用装置のその他の変更例を示す斜視図である。
【図７】従来より理容美容業界で広く用いられている展開図を示す模式図である。
【発明を実施するための最良の形態】
【００１２】
以下、本発明の一実施形態を図面に基づいて説明する。図１，２に示すように、この実施形態の頭髪模型支持具２およびヘアカット技術教示用装置１は、頭部模型４と、頭髪模型として用いられるストロー３と、頭部模型４にストロー３を支持する頭髪模型支持具２と、を備える。
【００１３】
頭部模型４は、例えば、美容理容業界で広く用いられているような、ヘアカット練習用に植毛されたカットウィッグの他、展開図に対応する補助線を設けた頭部模型も選択できる。その他、頭部模型表面の一部または全体を、マグネットを磁着できるように形成することも可能である。例えば、頭部模型を磁性体を含む材料で製造する方法、表面加工によって磁性体層を形成する方法が考えられる。
【００１４】
ストロー３は、飲食などに用いられる市販のストローも選択できる。頭部模型上でストロー３を切断し、ハサミを入れる角度やヘアスタイルを表示することが想定されるため、一般的な文房具で切断可能であることが好ましい。このとき、ストロー３の表面に所定の目盛り、色分けやラインによる目印、手で千切るためのミシン目を設けることも好適である。
【００１５】
頭髪模型支持具２は、ストロー３の端部に抜き差し自在に挿着される突起部２１と、突起部２１を頭部模型に支持する台座部２２を備える。突起部２１は、基端部２６から先端部に向けて縮径するテーパ状に設けられ、基端部２６の内径はストロー３の内径よりも大きく設けられている。このため、ストロー３を挿着し、基端部２６まで押し込むと、ストロー３の端部が弾性変形し、基端部２６に緊合する。また、基端部２６には、ストロー３が容易に滑落しないよう、滑り止め防止の溝２７が環設されている。なお、溝に代えて、凸状の滑り止めを環設したり、テーパ面に粗面を設けたりしても良い。
【００１６】
台座部２２は、頭部模型４に着脱自在に固定される底面部２３を含む。底面部２３には、頭部模型４に抜き差し可能なピン状部材２４が設けられている。ピン状部材２４は、頭部模型４に抜き差しする目的と、ストロー脱落防止の目的を両立できる程度に長く設けられていることが望ましい。一般に、頭部模型は芯材に硬度の高い発泡スチロールを用い、その表面をビニールやゴム等の素材で被覆しているが、ピン状部材２４の抜け落ちが想定される場合には、芯材に到達可能な長さに設けても良い。また、ピン状部材２４の材質は、ビニール面やゴム面を穿刺できる金属が好ましく採用できる。その他、頭部模型４の表面を磁着可能に形成した場合には、図３に示すように、ピン状部材２４に替えてマグネット２５を代用できる。
【００１７】
上記のように構成された頭髪模型支持具２およびヘアカット技術教示用装置１によれば、ストロー３を頭部模型４の表面に支持し、三次元的にヘアスタイルの表示やヘアカット技術の教示を実施することができるという優れた効果がある。また、安価なストローや普段利用しているカットウィッグを利用できるため、コストを削減できるという利点もある。さらに、頭部模型４の表面に自在に抜き差しできるため、細やかに差し位置を調整しつつ、その位置における頭髪の長さを表示できるという優れた効果も有する。その他、カットウィッグを用いた場合には、既存の植毛された頭髪をストローの長さ、目盛り、目印などと比較しつつヘアカットを教示できるという利点もある。
【００１８】
次に、本発明の変形例を図４に従って説明する。同一または類似する構成要素には同じ符号が付し、重複する箇所については説明を省略する。本変形例の頭髪模型支持具２およびヘアカット技術教示用装置１は、突起部２１の基端部２６に球状の端部２８を備え、台座部２２に、球状端部２８を回動可能に支持する略凹半球形状の支持部２９を備える。また、支持部２９の開口周縁部には、突起部２１の側面を受け止める切欠部３０が形成されている。
【００１９】
この変形例のように構成された頭髪模型支持具２およびヘアカット技術教示用装置１によれば、突起部２１を回動させてストロー３の角度を自在に設定することができるため、髪の流れやスタイリングの様子を自在に表現でき、より詳細に技術の伝授を実施することができるという優れた効果を有する。また、支持部２９の開口周縁部に突起部２１を受け止める溝２７を設けたため、突起部２１を頭部模型４の表面に向けて深く倒すことができるため、よりストロー３を傾斜させることができ、より表現の自由度が上がるという効果もある。
【００２０】
なお、本発明は上記実施形態に限定されるものではなく、本発明の趣旨を逸脱しない範囲で、各部の構成を任意に変更して実施することも可能である。例えば以下のように変更して実施することも可能である。
（１）図５に示すように、ストロー３とストロー３’との間に針金や樹脂製の糸等（３３）を橋架し、ストロー３，３’と針金等に囲まれた範囲（平面）を用いてヘアスタイル等を表示する。
（２）図６（ａ）に示すように、台座部２２にシート状の頭髪模型３２を挟持するスリット状の挟持部３１を設け、図６（ｂ）に示すように、複数の頭髪模型支持具２によってシート状頭髪模型３２を支持する。なお、シート状の頭髪模型としては、挟持される位置を厚紙で補強した紙などが採用できる。
（３）また、頭部模型４の表面に、頭筆記具による書き込み・消去が可能なホワイトボード・コーティングを施すことも可能である。
その他、本発明の趣旨を逸脱しない範囲で、各部の構成を任意に変更して実施することも可能である。
【符号の説明】
【００２１】
１  ヘアカット教示用装置
２  頭髪模型支持具
３  ストロー（頭髪模型）
４  頭部模型
２１  突起部
２２  台座部
２３  底面部
２４  ピン状部材
２５  マグネット
２６  基端部
２７  溝
２８  球状端部
２９  支持部
３０  切欠部
３１  挟持部
３２  シート状頭髪模型
３３  針金
５１  展開図
【図１】
2020034587.tif 000003
【図２】
2020034587.tif 000004
【図３】
2020034587.tif 000005
【図４】
2020034587.tif 000006
【図５】
2020034587.tif 000007
【図６】
2020034587.tif 000008
【図７】
2020034587.tif 000009